(57)【要約】【課題】光の利用効率を向上できる液晶装置を提供する。【解決手段】液晶装置は、液晶パネルと液晶パネルを照明する照明ユニットとを備える。液晶パネルは、第１入射面と、第１入射面からの光の第１偏光状態の光を液晶層に送る偏光板とを備える。照明ユニットは、第１入射面と対向する第１射出面と、第１射出面に送るための光を射出する光源と、光源と第１射出面との間に配置され、光源からの光を第１偏光状態の光と第２偏光状態の光とに分ける偏光分離素子と、偏光分離素子からの第２偏光状態の光を第１偏光状態の光に変換する偏光変換素子とを備える。偏光分離素子からの第１偏光状態の光と偏光変換素子からの第１偏光状態の光とが第１射出面より射出される。【選択図】図１
2008209857.tif 000002
【特許請求の範囲】
【請求項１】
液晶パネルと前記液晶パネルを照明する照明ユニットとを備えた液晶装置であって、
前記液晶パネルは、第１入射面と、
前記第１入射面からの光の第１偏光状態の光を液晶層に送る偏光板と、を備え、
前記照明ユニットは、前記第１入射面と対向する第１射出面と、
前記第１射出面に送るための光を射出する光源と、
前記光源と第１射出面との間に配置され、前記光源からの光を第１偏光状態の光と第２偏光状態の光とに分ける偏光分離素子と、
前記偏光分離素子からの前記第２偏光状態の光を第１偏光状態の光に変換する偏光変換素子と、を備え、
前記偏光分離素子からの第１偏光状態の光と前記偏光変換素子からの第１偏光状態の光とを前記第１射出面より射出する液晶装置。
【請求項２】
前記照明ユニットは、前記光源からの光が供給される第２入射面及び第２射出面を有し、前記第２入射面からの光を第２射出面から射出する第１導光部材と、
前記第２射出面からの光が供給される第３入射面及び第３射出面を有し、前記第３入射面からの光を前記第３射出面から射出する第２導光部材とを備え、
前記偏光分離素子及び偏光変換素子は、前記光源と前記第１導光部材との間に配置されている請求項１記載の液晶装置。
【請求項３】
前記照明ユニットは、前記光源からの光が供給される第２入射面及び第２射出面を有し、前記第２入射面からの光を第２射出面から射出する第１導光部材と、
前記第２射出面からの光が供給される第３入射面及び第３射出面を有し、前記第３入射面からの光を前記第３射出面から射出する第２導光部材とを備え、
前記偏光分離素子及び偏光変換素子は、前記第１導光部材と前記第２導光部材との間に配置されている請求項１記載の液晶装置。
【請求項４】
前記第３射出面から射出された光は、前記第１射出面より射出される請求項２又は３記載の液晶装置。
【請求項５】
前記第３射出面から射出された光を拡散する拡散光学部材を備え、
前記第１射出面は、前記拡散光学部材の射出面を含む請求項４記載の液晶装置。
【請求項６】
前記第２射出面は、所定方向に長い形状を有し、
前記第３入射面は、前記第２射出面に対応する形状を有し、
前記第３射出面は、前記第３入射面と異なる方向を向き、前記第１射出面に対応する形状を有する請求項２〜５のいずれか一項記載の液晶装置。
【請求項７】
前記第１導光部材は、前記所定方向に関して、前記第２入射面から該第２入射面と反対側に向かって除々に細くなる請求項６記載の液晶装置。
【請求項８】
前記第１導光部材は、前記第２入射面及び前記第２射出面に対向し、且つ傾斜するように配置された第１内面と、前記第１内面に背向するように配置された第２内面とを有し、前記第２入射面からの光を前記第２射出面に導くプリズムを備える請求項６又は７記載の液晶装置。
【請求項９】
前記第１導光部材は、前記第２入射面を複数有し、
前記光源は、前記第２入射面に応じて複数配置される請求項２〜８のいずれか一項記載の液晶装置。
【発明の詳細な説明】
【技術分野】
【０００１】
本発明は、液晶装置に関する。
【背景技術】
【０００２】
液晶装置は、液晶パネルと、その液晶パネルを照明する照明ユニットとを備えている。液晶装置には、照明ユニットとしてバックライトを用いる透過型（又は半透過型）、あるいは、照明ユニットしてフロントライトを用いる反射型が存在する。照明ユニットから射出された光は、液晶パネルの偏光板を介して、液晶層に送られる。下記特許文献には、液晶装置に関する技術の一例が開示されている。
【特許文献１】特開２００６−３５１２１７号公報
【発明の開示】
【発明が解決しようとする課題】
【０００３】
偏光板は、入射する光のうち、所定の偏光状態の光（例えばＳ偏光状態の光、又はＰ偏光状態の光）のみを通過させる。すなわち、照明ユニットから射出された光のうち、一部の光のみが液晶層に入射する。このように、従来の液晶装置においては、光の利用効率が低かった。光の利用効率が低いと、例えば液晶装置で所望の明るさの画像を表示するために、消費電力を大きくしなければならない等の不具合が生じる。
【０００４】
本発明は上記事情に鑑みてなされたもので、照明ユニットを備えた液晶装置において、光の利用効率を向上できる液晶装置を提供することを目的とする。
【課題を解決するための手段】
【０００５】
上記の課題を解決するため、本発明は以下の構成を採用する。
【０００６】
本発明の一観点によると、液晶パネルと前記液晶パネルを照明する照明ユニットとを備えた液晶装置であって、前記液晶パネルは、第１入射面と、前記第１入射面からの光の第１偏光状態の光を液晶層に送る偏光板と、を備え、前記照明ユニットは、前記第１入射面と対向する第１射出面と、前記第１射出面に送るための光を射出する光源と、前記光源と第１射出面との間に配置され、前記光源からの光を第１偏光状態の光と第２偏光状態の光とに分ける偏光分離素子と、前記偏光分離素子からの前記第２偏光状態の光を第１偏光状態の光に変換する偏光変換素子と、を備え、前記偏光分離素子からの第１偏光状態の光と前記偏光変換素子からの第１偏光状態の光とを前記第１射出面より射出する液晶装置が提供される。
【０００７】
本発明の第１の観点によれば、光源から射出された光が、偏光板を通過可能な第１偏光状態の光に変換されるので、光の利用効率を向上できる。
【０００８】
上記構成において、前記照明ユニットは、前記光源からの光が供給される第２入射面及び第２射出面を有し、前記第２入射面からの光を第２射出面から射出する第１導光部材と、前記第２射出面からの光が供給される第３入射面及び第３射出面を有し、前記第３入射面からの光を前記第３射出面から射出する第２導光部材とを備え、前記偏光分離素子及び偏光変換素子は、前記光源と前記第１導光部材との間に配置されている構成を採用できる。これによれば、光源から射出された光を第１偏光状態の光に変換して、第１導光部材に入射させることができる。
【０００９】
上記構成において、前記照明ユニットは、前記光源からの光が供給される第２入射面及び第２射出面を有し、前記第２入射面からの光を第２射出面から射出する第１導光部材と、前記第２射出面からの光が供給される第３入射面及び第３射出面を有し、前記第３入射面からの光を前記第３射出面から射出する第２導光部材とを備え、前記偏光分離素子及び偏光変換素子は、前記第１導光部材と前記第２導光部材との間に配置されている構成を採用できる。これによれば、第１導光部材から射出された光を第１偏光状態の光に変換して、第２導光部材に入射させることができる。
【００１０】
上記構成において、前記第３射出面から射出された光は、前記第１射出面より射出される構成を採用できる。これにより、第２導光部材から射出された第１偏光状態の光を、液晶パネルに供給できる。
【００１１】
上記構成において、前記第３射出面から射出された光を拡散する拡散光学部材を備え、前記第１射出面は、前記拡散光学部材の射出面を含む構成を採用できる。これによれば、第２導光部材から射出された第１偏光状態の光を拡散し、均一化した後、液晶パネルに供給できる。
【００１２】
上記構成において、前記第２射出面は、所定方向に長い形状を有し、前記第３入射面は、前記第２射出面に対応する形状を有し、前記第３射出面は、前記第３入射面と異なる方向を向き、前記第１射出面に対応する形状を有する構成を採用できる。これにより、光源から射出された光を、所定方向に長い形状を有する第２射出面から射出させ、第２射出面から射出された光を、第３射出面、ひいては第１入射面に対応する形状を有する第１射出面から射出できる。
【００１３】
上記構成において、前記第１導光部材は、前記所定方向に関して、前記第２入射面から該第２入射面と反対側に向かって除々に細くなる構成を採用できる。これによれば、所定方向に関する第２射出面の各位置（領域）から射出される光の光量（照度、輝度）を均一化できる。
【００１４】
上記構成において、前記第１導光部材は、前記第２入射面及び前記第２射出面に対向し、且つ傾斜するように配置された第１内面と、前記第１内面に背向するように配置された第２内面とを有し、前記第２入射面からの光を前記第２射出面に導くプリズムを備える構成を採用できる。これによれば、所定方向に関する第２射出面の各位置（領域）から射出される光の光量（照度、輝度）を均一化できる。
【００１５】
上記構成において、前記第１導光部材は、前記第２入射面を複数有し、前記光源は、前記第２入射面に応じて複数配置される構成を採用できる。これによれば、高い輝度の画像を得ることができる。
【発明を実施するための最良の形態】
【００１６】
以下、本発明の実施形態について図面を参照しながら説明する。
【００１７】
＜第１実施形態＞
第１実施形態について説明する。図１は、第１実施形態に係る液晶装置Ｓの一例を示す模式図である。図１において、液晶装置Ｓは、液晶パネル１と、液晶パネル１を照明するバックライトユニット２とを備える。液晶パネル１は、入射面３と、入射面３からの光のうち、第１偏光状態の光を液晶層４に送る偏光板５とを備える。
【００１８】
バックライトユニット２は、入射面３と対向する射出面６と、射出面６に送るための光を射出する光源７と、光源７と射出面６との間の光路上に配置され、光源７からの光を第１偏光状態の光と第２偏光状態の光とに分ける偏光分離素子、及び偏光分離素子からの第２偏光状態の光を第１偏光状態の光に変換する偏光変換素子を含む光学ユニット８とを備える。そして、光学ユニット８の偏光分離素子からの第１偏光状態の光と偏光変換素子からの第１偏光状態の光とが射出面６より射出される。
【００１９】
本実施形態においては、一例として、偏光板５がＳ偏光状態の光のみを通過させる場合を例にして説明する。本実施形態の光源７は、ＬＥＤ光源を含み、ランダムな偏光状態の光を射出する。光学ユニット８の偏光分離素子は、光源７からの光をＳ偏光状態の光とＰ偏光状態の光とに分ける。偏光変換素子は、偏光分離素子からのＰ偏光状態の光をＳ偏光状態の光に変換する。そして、光学ユニット８の偏光分離素子からのＳ偏光状態の光と偏光変換素子からのＳ偏光状態の光とが射出面６より射出される。射出面６より射出された光（Ｓ偏光状態の光）は、偏光板５を透過可能である。これにより、高い光利用効率が得られる。
【００２０】
図２は、液晶パネル１の一例を示す断面図である。図２において、液晶パネル１は、第１面１１Ａを有するアレイ基板（ＴＦＴアレイ基板）１１と、第１面１１Ａと対向する第２面１２Ａを有する対向基板（カラーフィルタ基板）１２と、アレイ基板１と対向基板２との間に配置される液晶層４とを備えている。
【００２１】
アレイ基板１１の第１面１１Ａには、画素電極１３と配向膜（不図示）とが配置される。また、アレイ基板１１の第１面１１Ａには、薄膜トランジスタ（ＴＦＴ）、及び蓄電コンデンサ等が配置されている。
【００２２】
対向基板１２の第２面１２Ａには、共通電極（対向電極）１４と配向膜（不図示）とが配置されている。また、対向基板１２の第２面１２Ａには、ブラックマトリクス、カラーフィルタ等が配置される。
【００２３】
第１面１１Ａと反対側のアレイ基板１１の面には、偏光板５が配置され、第２面１２Ａと反対側の対向基板１２の面には、偏光板１５が配置される。上述のように、偏光板５は、Ｓ偏光状態の光のみを通過させる。また、本実施形態においては、偏光板５の下面（アレイ基板１１と対向しない側の面）が、バックライトユニット２の射出面６と対向する入射面３となっている。
【００２４】
また、液晶パネル１は、アレイ基板１１と対向基板１２とを貼り合わせるシール材１６を備える。液晶層４は、アレイ基板１１と対向基板１２とシール材１６とで形成された密閉された空間に配置される。なお、第１面１１Ａのうち液晶層４に対してシール材１６の外側には、駆動回路１７が配置されている。
【００２５】
図３は、バックライトユニット２の一例を示す斜視図、図４は、図３の分解図、図５は、模式図である。バックライトユニット２は、光源７と、光源７からの光が供給される入射面１８及び射出面１９を有し、入射面１８からの光を射出面１９から射出する第１導光部材２０と、射出面１９からの光が供給される入射面２１及び射出面２２を有し、入射面２１からの光を射出面２２から射出する第２導光部材２３とを備えている。本実施形態においては、偏光分離素子及び偏光変換素子を含む光学ユニット８は、第１導光部材２０の射出面１９と第２導光部材２３の入射面２１との間に配置されている。
【００２６】
本実施形態のバックライトユニット２は、第２導光部材２３の射出面２２と液晶パネル１の入射面３との間に、第１プリズムシート２４、第２プリズムシート２５、及び拡散シート２６を有する。第１プリズムシート２４、第２プリズムシート２５、及び拡散シート２６のそれぞれは、第２導光部材２３の射出面２２より射出された光を拡散する拡散光学部材として機能する。本実施形態のバックライトユニット２の射出面６は、第１プリズムシート２４の射出面（上面）である。第２導光部材２３の射出面２２から射出された光は、拡散シート２６、及び第２プリズムシート２５を介して、第１プリズムシート２４の射出面（バックライトユニット２の射出面６）より射出される。また、第２導光部材２３の射出面２２と反対側の面と対向する位置には、反射シート２７が配置されている。
【００２７】
本実施形態においては、第１導光部材２０は、ロッド状であり、第２導光部材２３は、プレート状である。第１導光部材２０の射出面１９は、所定方向に長い形状を有する。すなわち、第１導光部材２０の射出面１９は、所謂、線光源を形成する。
【００２８】
また、第２導光部材２３の入射面２１は、第１導光部材２０の射出面１９に対応するように、所定方向に長い形状を有する。第２導光部材２３の射出面２２は、入射面２１とほぼ直交する方向を向き、バックライトユニット２の射出面６、ひいては液晶パネル１の入射面３に対応する形状を有する。すなわち、第２導光部材２０の射出面２２は、所謂、面光源を形成する。
【００２９】
また、本実施形態の第１導光部材２０は、所定方向（射出面１９の長手方向）に関して、入射面１８からその入射面１８と反対側に向かって除々に細くなる形状を有する。
【００３０】
また、本実施形態の光学ユニット８は、第１導光部材２０の射出面１９及び第２導光部材２３の入射面２１に対応するように、所定方向に長いロッド状である。
【００３１】
図６は、光学ユニット８の一例を示す模式図である。光学ユニット８は、光源７からのランダムな偏光状態の光を、Ｓ偏光状態の光とＰ偏光状態の光とに分ける偏光分離素子３１と、偏光分離素子３１からのＰ偏光状態の光をＳ偏光状態の光に変換する偏光変換素子３２とを備える。偏光変換素子３２は、１／２波長板（λ／２板）を含む。
【００３２】
また、図６においては、図示が省略されているが、偏光分離素子３１及び偏光変換素子３２は、所定方向（光学ユニット８の長手方向、射出面１９、入射面２１の長手方向）に関して複数配置されている。
【００３３】
図６において、光源７からの光は、偏光分離素子３１によって、Ｓ偏光状態の光とＰ偏光状態の光とに分離される。偏光分離素子３１で分離されたＳ偏光状態の光は、ミラー３３で反射して、光学ユニット８より射出される。偏光分離素子３１で分離されたＰ偏光状態の光は、偏光変換素子３２に入射して、Ｓ偏光状態の光に変換された後、光学ユニット８より射出される。
【００３４】
以上説明したように、本実施形態によれば、光源７から射出されたＳ偏光成分及びＰ偏光成分のそれぞれを含むランダムな偏光状態の光が、偏光分離素子３１及び偏光変換素子３２を含む光学ユニット８によって、偏光板５を通過可能なＳ偏光状態の光に変換されるので、光の利用効率を向上できる。したがって、消費電力を抑えた状態で、所望の明るさを有する画像を表示できる。また、電力源が電池である場合には、電池の寿命を延ばすことができる。
【００３５】
また、本実施形態においては、第１導光部材２０は、所定方向に関して、入射面１８から入射面１８と反対側に向かって除々に細くなっているので、所定方向に関する射出面１９の各位置（領域）から射出される光の光量（照度、輝度）を均一化できる。すなわち、入射面１８から第１導光部材２０に入射した光は、第１導光部材２０を伝播していくうちに、除々に減衰していく可能性があるが、第１導光部材２０の形状を最適にすることによって、所定方向に関する射出面１９の各位置（領域）から射出される光の光量（照度、輝度）を均一化できる。これにより、射出面２２、６から射出される光の照度分布（輝度分布）の均一化を図ることができ、液晶装置Ｓは、良好な表示性能を得ることができる。
【００３６】
＜第２実施形態＞
次に、第２実施形態について説明する。以下の説明において、上述の実施形態と同一又は同等の構成部分については同一の符号を付し、その説明を簡略若しくは省略する。
【００３７】
図７は、第２実施形態に係るバックライトユニット２Ｂを示す模式図である。図７において、バックライトユニット２Ｂは、光源７からの光が供給される入射面１８及び射出面１９を有し、入射面１８からの光を射出面１９から射出する第１導光部材２０と、射出面１９からの光が供給される入射面２１及び射出面２２を有し、入射面２１からの光を射出面２２から射出する第２導光部材２３とを備えている。本実施形態においては、偏光分離素子３１及び偏光変換素子３２を含む光学ユニット８Ｂは、光源７と第１導光部材２０の入射面１８との間に配置されている。このような構成でも、光利用効率を向上できる。
【００３８】
＜第３実施形態＞
次に、第３実施形態について説明する。以下の説明において、上述の実施形態と同一又は同等の構成部分については同一の符号を付し、その説明を簡略若しくは省略する。
【００３９】
図８は、第３実施形態に係るバックライトユニット２Ｃを示す模式図である。図８に示すバックライトユニット２Ｃの第１導光部材２０Ｃは、入射面１８Ｃ及び射出面１９Ｃに対向し、且つ傾斜するように配置された第１内面３５と、第１内面３５に背向するように配置された第２内面３６とを有し、入射面１８Ｃからの光を射出面１９Ｃに導くプリズム３７を備えている。プリズム３７は、所定方向（射出面１９の長手方向）に複数配置されている。これによれば、所定方向に関する射出面１９Ｃの各位置（領域）から射出される光の光量（照度、輝度）を均一化できる。
【００４０】
＜第４実施形態＞
次に、第４実施形態について説明する。以下の説明において、上述の実施形態と同一又は同等の構成部分については同一の符号を付し、その説明を簡略若しくは省略する。
【００４１】
図９は、第４実施形態に係るバックライトユニット２Ｄを示す模式図である。図９に示すバックライトユニット２Ｄの第１導光部材２０Ｄは、２つの入射面１８Ａ、１８Ｂを有する。光源７は、入射面１８Ａ、１８Ｂに応じて、２つ配置されている。また、第１導光部材２０Ｄは、所定方向（射出面１９Ｄの長手方向）に関して、射出面１８Ａから射出面１８Ｂに向かって除々に細くなるとともに、射出面１８Ｂから射出面１８Ａに向かって除々に細くなる形状を有し、所定方向に関して中央部が最も細くなっている。
【００４２】
本実施形態によれば、２つの光源７が設けられているので、より高い輝度の画像を得ることができる。また、光源７（入射面）に応じて、第１導光部材２０Ｄの形状が最適化されているので、所定方向に関する射出面１９Ｄの各位置（領域）から射出される光の光量（照度、輝度）を均一化できる。
【００４３】
なお、第１導光部材の入射面の数は、２つに限られず、３つ以上の複数であってもよい。光源７は、それら複数の入射面に応じて複数配置される。
【００４４】
＜第５実施形態＞
次に、第５実施形態について説明する。以下の説明において、上述の実施形態と同一又は同等の構成部分については同一の符号を付し、その説明を簡略若しくは省略する。
【００４５】
図１０は、第５実施形態に係る光学ユニット８Ｃの一例を示す図である。上述の第１〜第４実施形態においては、光学ユニット８は、所定方向に長いロッド状であり、偏光分離素子３１及び偏光変換素子３２のそれぞれは、所定方向に関して複数配置されているが、本実施形態に係る光学ユニット８Ｃは、プリズム部材を含み、そのプリズム部材の一部に、偏光分離素子３１及び偏光変換素子３２が配置されている。
【００４６】
図１０において、光源７からのＳ偏光成分及びＰ偏光成分を含むランダムな偏光状態の光は、偏光分離素子３１Ｃによって、Ｓ偏光状態の光とＰ偏光状態の光とに分離される。偏光分離素子３１Ｃで分離されたＰ偏光状態の光は、ミラー３３Ｃで反射して、偏光変換素子３２Ｃに入射して、Ｓ偏光状態の光に変換された後、光学ユニット８Ｃより射出される。偏光分離素子３１Ｃで分離されたＳ偏光状態の光は、光学ユニット８より射出される。
【００４７】
図１１は、図１０に示す光学ユニット８Ｃを備えたバックライトユニット２Ｅの一例を示す図である。図１１に示すように、光学ユニット８Ｃは、光源７と第１導光部材２０の入射面１８との間に配置されている。本実施形態によれば、光源７と光学ユニット８Ｃと第１導光部材２０との位置関係を調整して、バックライトユニット２Ｅのコンパクト化を図ることができる。
【００４８】
＜第６実施形態＞
次に、第６実施形態について説明する。以下の説明において、上述の実施形態と同一又は同等の構成部分については同一の符号を付し、その説明を簡略若しくは省略する。
【００４９】
図１２は、第６実施形態に係るバックライトユニット２Ｆの一例を示す図である。本実施形態においては、第１導光部材２０が省略されている。第２導光部材２３Ｆの入射面２１Ｆと対向する位置には、光学ユニット８が配置されている。光学ユニット８は、入射面２１Ｆの長手方向に沿って複数配置されている。そして、複数の光学ユニット８に対応するように、複数の光源７が配置されている。光学ユニット８のそれぞれは、光源７と、第２導光部材２３Ｆの入射面２１Ｆとの間に配置されている。
【００５０】
本実施形態においては、入射面２１Ｆは、入射した光を拡散できる表面形状を有する。光源７から射出され、光学ユニット８を介した光は、入射面２１Ｆに入射する。入射面２１Ｆに入射した光は、入射面２１Ｆによって拡散された後、射出面２２Ｆより射出される。  
【００５１】
本実施形態によれば、第１導光部材２１を省略できるとともに、第２導光部材２３Ｆの射出面２２Ｆから射出される光の光量（照度、輝度）の分布を均一化できる。
【００５２】
なお、上述の第１〜第６実施形態においては、液晶パネル１が透過型（又は半透過型）であり、照明ユニットがバックライトユニットである場合を例にして説明したが、図１３の模式図に示すように、液晶パネル１Ｈを反射型とし、照明ユニット２Ｈがフロントライトユニットであってもよい。図１３に示すフロントライトユニット２Ｈも、光源７Ｈから射出されたランダムな偏光状態の光を、Ｓ偏光状態の光とＰ偏光状態の光とに分離する偏光分離素子、及び偏光分離素子からのＰ偏光状態の光をＳ偏光状態の光に変換する偏光変換素子を含む光学ユニット８Ｈを備えており、光利用効率を向上できる。
【００５３】
なお、上述の各実施形態においては、偏光板５がＳ偏光状態の光のみを通過させる場合を例にして説明したが、もちろん、偏光板５がＰ偏光状態の光のみを通過させるものであってもよい。その場合、光学ユニットからＰ偏光状態の光が射出されるように、偏光分離素子、及び偏光変換素子が設定される。
【図面の簡単な説明】
【００５４】
【図１】第１実施形態に係る液晶装置の一例を示す模式図である。
【図２】液晶パネルの一例を示す図である。
【図３】第１実施形態に係るバックライトユニットの一例を示す斜視図である。
【図４】図３の分解図である。
【図５】第１実施形態に係るバックライトユニットの一例を示す模式図である。
【図６】第１実施形態に係る光学ユニットの一例を示す模式図である。
【図７】第２実施形態に係るバックライトユニットの一例を示す模式図である。
【図８】第３実施形態に係るバックライトユニットの一例を示す模式図である。
【図９】第４実施形態に係るバックライトユニットの一例を示す模式図である。
【図１０】第５実施形態に係る光学ユニットの一例を示す模式図である。
【図１１】第５実施形態に係るバックライトユニットの一例を示す模式図である。
【図１２】第６実施形態に係るバックライトユニットの一例を示す模式図である。
【図１３】液晶装置の別の例を示す模式図である。
【符号の説明】
【００５５】
１…液晶パネル、２…バックライトユニット、３…入射面、４…液晶層、５…偏光板、６…射出面、７…光源、８…光学ユニット、１８…入射面、１９…射出面、２０…第１導光部材、２１…入射面、２２…射出面、２３…第２導光部材、２４…第１プリズムシート、２５…第２プリズムシート、２６…拡散シート、３１…偏光分離素子、３２…偏光変換素子、３５…第１内面、３６…第２内面、３７…プリズム、Ｓ…液晶装置
【図１】
2008209857.tif 000003
【図２】
2008209857.tif 000004
【図３】
2008209857.tif 000005
【図４】
2008209857.tif 000006
【図５】
2008209857.tif 000007
【図６】
2008209857.tif 000008
【図７】
2008209857.tif 000009
【図８】
2008209857.tif 000010
【図９】
2008209857.tif 000011
【図１０】
2008209857.tif 000012
【図１１】
2008209857.tif 000013
【図１２】
2008209857.tif 000014
【図１３】
2008209857.tif 000015